(57)【要約】  【課題】  顧客が店頭にて一目でＣＯ２削減効果を知ることができ、しかも自然環境に優しい商品を購入したり、自然環境に配慮したサービスを受けたりした場合に、ＣＯ２削減量に応じたサービスを提供し、顧客のＣＯ２排出量削減に関する意識を高めると共に、商品販売やサービス提供を促進可能とする新たな環境ラベル技術を提供する。  【解決手段】  小片シート状本体３が、その表面３０適所に、対象商品２に係る平均的ＣＯ２削減量を表示するＣＯ２削減量表示部４０と、そのＣＯ２排出量の削減対象技術名を表示するエコ技術表示部４１とを配し、ＣＯ２削減量が一目で視認できるようにしたＣＯ２削減量明示面４を区画、表示してなるものとする一方、当該小片シート状本体３裏面３１に粘着剤層５を形成した上、該裏面３１粘着剤層５に被覆用剥離紙６が隠蔽状に積層、剥離容易に貼着されてなるＣＯ２排出削減量表示ラベル１である。【選択図】    図１
2010049218.tif 000002
【特許請求の範囲】
【請求項１】
小片シート状本体が、その表面適所に、対象商品に加えたＣＯ２排出量削減型の加工か処理かの少なくとも何れか一方の過程で発生する平均的ＣＯ２排出量の、それ以前までの同種の加工か処理かの何れか対応する加工か処理かの少なくとも何れか一方の過程で発生していたそれまでの平均的ＣＯ２排出量からの削減量を表示するＣＯ２削減量表示部と、そのＣＯ２排出量の削減対象技術名を表示するエコ技術表示部とを配し、少なくともＣＯ２削減量が一目で視認できるようにしたＣＯ２削減量明示面を区画、表示してなるものとする一方、該ＣＯ２削減量明示面とする表面とは反対がわとなる当該小片シート状本体裏面の一部または全体に粘着剤層を形成した上、該小片シート状本体裏面であって少なくとも同裏面粘着剤層を含む範囲に被覆用剥離紙が隠蔽状に積層、剥離容易に貼着されてなるものとしたことを特徴とするＣＯ２排出削減量表示ラベル。
【請求項２】
小片シート状本体が、その表面適所に、所定期間中の対象商品群に加えたＣＯ２排出量削減型の加工か処理かの少なくとも何れか一方の過程で発生するＣＯ２総排出量の、それ以前までの同等の所定期間中の対象商品群に対し、同種の加工か処理かの何れか対応する加工か処理かの少なくとも何れか一方の過程で発生していたそれまでのＣＯ２総排出量からのＣＯ２総削減量に基づく、対象商品１点分に相当する平均的ＣＯ２削減量を表示するＣＯ２削減量表示部と、そのＣＯ２排出量の削減対象技術名を表示するエコ技術表示部とを配し、少なくともＣＯ２削減量が一目で視認できるようにしたＣＯ２削減量明示面を区画、表示してなるものとする一方、該ＣＯ２削減量明示面とする表面とは反対がわとなる当該小片シート状本体裏面の一部または全体に粘着剤層を形成した上、該小片シート状本体裏面であって少なくとも同裏面粘着剤層を含む範囲に被覆用剥離紙が隠蔽状に積層、剥離容易に貼着されてなるものとしたことを特徴とするＣＯ２排出削減量表示ラベル。
【請求項３】
小片シート状本体が、その表面適所に、所定期間中のクリーニング対象品群に加えたＣＯ２排出量削減型のドライクリーニング処理過程で発生するＣＯ２総排出量の、それ以前までの同等所定期間中のドライクリーニング処理過で発生していたＣＯ２総排出量からのＣＯ２総削減量に基づく、クリーニング対象品１点分に相当する平均的ＣＯ２削減重量を数値表示するＣＯ２削減量表示部と、そのＣＯ２排出量の削減対象技術名を表示するエコ技術表示部とを配し、少なくともＣＯ２削減量が一目で視認できるようにしたＣＯ２削減量明示面を区画、表示してなるものとする一方、該ＣＯ２削減量明示面とする表面とは反対がわとなる当該小片シート状本体裏面の一部または全体に粘着剤層を形成した上、該小片シート状本体裏面であって少なくとも同裏面粘着剤層を含む範囲に被覆用剥離紙が隠蔽状に積層、剥離容易に貼着されてなるものとしたことを特徴とするＣＯ２排出削減量表示ラベル。
【請求項４】
小片シート状本体が、その表面適所に、年間のクリーニング対象品群に加えたドライ溶剤をリサイクル利用するＣＯ２排出量削減型のドライクリーニング処理過程で発生するＣＯ２総排出重量の、それ以前までの年間のドライ溶剤をリサイクル利用しないドライクリーニング処理過で発生していたＣＯ２総排出重量からのＣＯ２総削減重量に基づく、年間にドライクリーニング処理するクリーニング対象品群中の１点分に相当する平均的ＣＯ２削減重量を数値表示するＣＯ２削減量表示部と、そのＣＯ２排出量の削減対象技術名を表示するエコ技術表示部とを配し、少なくともＣＯ２削減量が一目で視認できるようにしたＣＯ２削減量明示面を区画、表示してなるものとする一方、該ＣＯ２削減量明示面とする表面とは反対がわとなる当該小片シート状本体裏面の一部または全体に粘着剤層を形成した上、該小片シート状本体裏面であって少なくとも同裏面粘着剤層を含む範囲に被覆用剥離紙が隠蔽状に積層、剥離容易に貼着されてなるものとしたことを特徴とするＣＯ２排出削減量表示ラベル。
【請求項５】
被覆用剥離紙は、小片シート状本体裏面の粘着剤層に剥離容易に粘着する一方面とは反対がわとなる他方面の一部または全体に粘着剤層を形成し、且つ該被覆用剥離紙の他方面であって少なくとも同他方面の粘着剤層を含む範囲に、積層用剥離紙が隠蔽状に積層、剥離容易に貼着されてなるものとした、請求項１ないし３何れか一項記載のＣＯ２排出削減量表示ラベル。
【請求項６】
ＣＯ２排出量削減型の加工か処理かの少なくとも何れか一方の過程を経て出荷される対象商品に、請求項１ないし５何れか一項記載のＣＯ２排出削減量表示ラベルの１枚が貼着されたものとして出荷し、該対象商品を購入または受領した顧客は、該対象商品の１点毎に貼着されている当該ＣＯ２排出削減量表示ラベルをそのＣＯ２排出削減量の表示合計が一定量に達する複数枚まで集めた後、店舗にて該ＣＯ２排出削減量の一定量に相当する枚数のＣＯ２排出削減量表示ラベルを提出すると、所定のサービスが受けられるよう設定されてなるものとしたことを特徴とするエコロジー促進方法。
【請求項７】
クリーニング店舗にて顧客から受託したクリーニング対象品をクリーニング工場にてドライ溶剤をリサイクル利用するＣＯ２排出量削減型のドライクリーニング処理によって洗浄し、包装済みとなったクリーニング対象品の包装適所に、請求項１ないし５何れか一項記載のＣＯ２排出削減量表示ラベルの１枚が貼着されたものとして該クリーニング店舗を通じて出荷し、該ドライクリーニング処理済みのクリーニング対象品を受領した顧客は、クリーニング対象品の１点毎に貼着されている当該ＣＯ２排出削減量表示ラベルを所定の台紙に貼着し、該ＣＯ２排出削減量表示ラベルが一定枚数集まった後であって、しかも該クリーニング店舗にてクリーニング対象品を新たに委託するときに、一定枚数のＣＯ２排出削減量表示ラベルが貼着された該台紙を同クリーニング店舗に提出し、所定のサービスが受けられるよう設定されてなるものとしたことを特徴とするエコロジー促進方法。
【発明の詳細な説明】
【技術分野】
【０００１】
この発明は、地球環境保護運動の促進に関するものであり、商品やサービス対象品などに貼着する環境ラベルやポイントシールなどを製造する分野は勿論のこと、その輸送、保管、貼着に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                      
【背景技術】
【０００２】
（着目点）
近年、世界規模の人口増加や新興国の産業の発達および生活水準の向上などに伴い、人為的に発生される温室効果ガスの大気中への排出量が以前にも況して急増しており、地球温暖化やそれに起因すると考えられる異常気象、自然災害の多発、生態系の急激な変化、海面上昇など様々な問題が全世界で発生しており、国際的な協力の下に速やかな地球温暖化対策が急務となっている。
【０００３】
このように急速に悪化が進む地球環境を保全するには、各国政府や自治体、様々な企業、団体などに留まらず、一般市民の一人一人が環境保護の意識を高め、できるだけエネルギー消費が少なく、温室効果ガスやそれ以外の有害物質などの発生を抑えるよう努力しながら日常の活動に取り組む必要があり、あらゆる場面で必要となる種々の商品やサービスなどを選択する際にも、できるだけ環境負荷の少ないものを選択するという地道な努力が不可欠となってきている。
【０００４】
こうしたエコロジー商品や自然環境に優しいサービスを選択する際に役立つものとして、例えば環境保全型商品に付けられるエコマークや、省エネ型のＯＡ機器などに付けられる国際エネルギースターロゴ、または古紙パルプを一定以上使用した商品に付与されているグリーンマークなど様々な環境ラベルが既に実用化されている。
【０００５】
（従来の技術）
こうした既存の環境ラベルには、一定の認定基準に達している商品やサービスなどに付与されるものや、商品やサービスを提供する企業自らが環境への配慮を主張するものなど様々なものが存在しており、例えば、後記する特許文献１（１）に見られるような、環境保全型の生産方法、販売方法、加工方法、流通方法、運用方法であることの認定条件を満たす生産物および／またはその生産物を使用した商品提供サービスに対して所定の認証コードを付与し、該認証コードが印刷されたラベルを商品に貼着したり、該認証コードを商品の送り状やサービス提供場所に表示したりするなどして、前記生産物の販売やサービスの提供にあたり（販売時、販売後）、当該認証コードを利用してインターネット上のデータベースにアクセスし、当該認証コードに対応して記憶された生産物に関する情報を消費者に通知するよう設定された生産物等の流通方法などがある外、環境ラベルとは異なるが、店頭に陳列される商品などに利用可能なものとして、同特許文献１（２）のように、表面に内容明細表示部を有する第１ラベルと、表面にポイント表示部を有する複数枚の第２ラベルとを裏面に塗布された粘着剤によって台紙に仮着させ、台紙に形成されたスリットによって、台紙を第１ラベルが仮着されている第１台紙片と、第２ラベルが仮着されている第２台紙片とに分離可能に構成し、内容表示ラベルとして第１ラベルを発行すると同時に、第２ラベルをポイントラベルとして発行可能とし、店頭に陳列される個別の商品に対応させたポイント片を簡単に発行できるものとし、それ以前までのレジカウンターにて会計を終えた後に購入代金の合計に応じて発行されていたポイントを、個々の商品毎に設定可能とした商品ラベルなどが散見される。
【０００６】
しかし、前者特許文献１（１）に示されているような認証コードを用いたラベルや表示などは、顧客が一目で、その企業が環境に配慮した商品やサービスなどを提供しているということを理解できるものとなっているが、その環境保護などに対する貢献度は、表示されている認証コードを、コンピューターや通信技術などを利用して入力し、インターネット上のデータベースなどにアクセスしなければ知ることができず、携帯型の端末を持たない顧客が、店頭にて気軽に詳細な情報を得ることは不可能で、同様の表示がある他の商品との直接的な比較が困難であるという欠点があり、また、後者の特許文献１（２）に代表されるような、店頭の個別商品毎のポイントラベルを簡単に発行できるようにしたものは、ポイントラベルを集めた顧客に重点的にサービスをしたり、販促対象商品に大きなポイントを付けたりすることが容易になり、経済的効果を高めることができるという利点を有するものとなってはいるものの、環境ラベルのような自然環境保護の促進には何等有効なものになっていないという恨みがあった。                                                                                
【特許文献１】（１）特開２００１−３４４６５７号公報    （２）特開２００７−２０６２１４号公報
【発明の開示】
【発明が解決しようとする課題】
【０００７】
（問題意識）
上述したとおり、従前までに提案のある各種の環境ラベル、および一定の基準を満たした商品やサービスに承認コードを付与し、顧客がその承認コードを利用して商品やサービスに関する詳細なデーターにアクセスできるシステムを構築してなるものなどは、携帯型通信端末などを持たない顧客が、店頭において同様のラベルや表示のある複数の商品同士や、同様の表示のある複数のサービス同士などを比較検討することができず、また、店頭に陳列する商品に個別のポイントラベルを発行可能としたものは、販売の促進に役立つものの自然環境保護を促進可能にするとは言えない技術レベルに止まっている。
【０００８】
それ以外の技術として近時、温室効果ガスが地球環境に与える影響のレベルを、二酸化炭素（以降ＣＯ２と記載する）に換算した「カーボン・フットプリント」という商品表示を行い、対象製品の製造から流通、廃棄にわたる間のＣＯ２排出量を算定、表示する試みがなされるようになってきているが、こうしたカーボン・フットプリントは、対象商品のＣＯ２排出量を知ることはできるが、例えば昨年から今年にかけての対象商品に関する排出ＣＯ２の削減量を知ることはできず、複数の企業間で常に競争がなければ、当該企業による、それ以降のＣＯ２排出量の削減努力がなされなくなってしまう虞がある上、例えばクリーニング店のように、店頭に同一のクリーニング工場で洗浄処理されたクリーニング対象品のみが存在し、顧客がＣＯ２排出量の比較対象を持たない場合などには、あまり意味をなさなくなってしまうという欠点があった。
【０００９】
したがって、従前までは、店頭に同一企業が係わる対象商品のみを取り扱うような店頭にあっても、その企業のＣＯ２排出量の削減実績を顧客に広告することができ、しかも顧客が対象商品を一目見ただけで具体的なＣＯ２排出削減量を知ることができ、複数の企業間でＣＯ２排出量削減の競争がなされない場合であっても、単一の企業がＣＯ２排出量の削減努力を絶えることなく継続できるものとし、さらに、ＣＯ２削減効果のある商品やサービスを選んだ顧客に優先的にサービスを提供可能として販売の促進にも役立つという商品ラベルの技術については未だ存在しないという状況にある。
【００１０】
（発明の目的）
そこで、この発明は、顧客が店頭にて一目でＣＯ２削減効果を知ることができ、しかも自然環境に優しい商品を購入したり、自然環境に配慮したサービスを受けたりした場合に、ＣＯ２削減量に応じたサービスを提供し、顧客のＣＯ２排出量削減に関する意識を高めると共に、商品販売やサービス提供を促進可能とする新たな環境ラベル技術の開発はできないものかとの判断から、逸速くその開発、研究に着手し、長期に渡る試行錯誤と幾多の試作、実験とを繰り返してきた結果、今回、遂に新規な構造のＣＯ２排出削減量表示ラベル、およびそれを用いた新規なエコロジー促進方法を実現化することに成功したものであり、以下では、図面に示すこの発明を代表する実施例と共に、その構成を詳述することとする。                                                                                                                
【課題を解決するための手段】
【００１１】
（発明の構成）
図面に示すこの発明を代表する実施例からも明確に理解されるように、この発明のＣＯ２排出削減量表示ラベルは、基本的に次のような構成から成り立っている。
即ち、小片シート状本体が、その表面適所に、対象商品に加えたＣＯ２排出量削減型の加工か処理かの少なくとも何れか一方の過程で発生する平均的ＣＯ２排出量の、それ以前までの同種の加工か処理かの何れか対応する加工か処理かの少なくとも何れか一方の過程で発生していたそれまでの平均的ＣＯ２排出量からの削減量を表示するＣＯ２削減量表示部と、そのＣＯ２排出量の削減対象技術名を表示するエコ技術表示部とを配し、少なくともＣＯ２削減量が一目で視認できるようにしたＣＯ２削減量明示面を区画、表示してなるものとする一方、該ＣＯ２削減量明示面とする表面とは反対がわとなる当該小片シート状本体裏面の一部または全体に粘着剤層を形成した上、該小片シート状本体裏面であって少なくとも同裏面粘着剤層を含む範囲に被覆用剥離紙が隠蔽状に積層、剥離容易に貼着されてなるものとした構成を要旨とするＣＯ２排出削減量表示ラベルである。
【００１２】
この基本的な構成からなるＣＯ２排出削減量表示ラベルを表現を変えて示すと、小片シート状本体が、その表面適所に、所定期間中の対象商品群に加えたＣＯ２排出量削減型の加工か処理かの少なくとも何れか一方の過程で発生するＣＯ２総排出量の、それ以前までの同等の所定期間中の対象商品群に対し、同種の加工か処理かの何れか対応する加工か処理かの少なくとも何れか一方の過程で発生していたそれまでのＣＯ２総排出量からのＣＯ２総削減量に基づく、対象商品１点分に相当する平均的ＣＯ２削減量を表示するＣＯ２削減量表示部と、そのＣＯ２排出量の削減対象技術名を表示するエコ技術表示部とを配し、少なくともＣＯ２削減量が一目で視認できるようにしたＣＯ２削減量明示面を区画、表示してなるものとする一方、該ＣＯ２削減量明示面とする表面とは反対がわとなる当該小片シート状本体裏面の一部または全体に粘着剤層を形成した上、該小片シート状本体裏面であって少なくとも同裏面粘着剤層を含む範囲に被覆用剥離紙が隠蔽状に積層、剥離容易に貼着されてなるものとした構成からなるＣＯ２排出削減量表示ラベルとなる。
【００１３】
より具体的には、小片シート状本体が、その表面適所に、所定期間中のクリーニング対象品群に加えたＣＯ２排出量削減型のドライクリーニング処理過程で発生するＣＯ２総排出量の、それ以前までの同等所定期間中のドライクリーニング処理過で発生していたＣＯ２総排出量からのＣＯ２総削減量に基づく、クリーニング対象品１点分に相当する平均的ＣＯ２削減重量を数値表示するＣＯ２削減量表示部と、そのＣＯ２排出量の削減対象技術名を表示するエコ技術表示部とを配し、少なくともＣＯ２削減量が一目で視認できるようにしたＣＯ２削減量明示面を区画、表示してなるものとする一方、該ＣＯ２削減量明示面とする表面とは反対がわとなる当該小片シート状本体裏面の一部または全体に粘着剤層を形成した上、該小片シート状本体裏面であって少なくとも同裏面粘着剤層を含む範囲に被覆用剥離紙が隠蔽状に積層、剥離容易に貼着されてなるものとした構成からなるＣＯ２排出削減量表示ラベルとなる。
【００１４】
さらに具体的に示すと、小片シート状本体が、その表面適所に、年間のクリーニング対象品群に加えたドライ溶剤をリサイクル利用するＣＯ２排出量削減型のドライクリーニング処理過程で発生するＣＯ２総排出重量の、それ以前までの年間のドライ溶剤をリサイクル利用しないドライクリーニング処理過で発生していたＣＯ２総排出重量からのＣＯ２総削減重量に基づく、年間にドライクリーニング処理するクリーニング対象品群中の１点分に相当する平均的ＣＯ２削減重量を数値表示するＣＯ２削減量表示部と、そのＣＯ２排出量の削減対象技術名を表示するエコ技術表示部とを配し、少なくともＣＯ２削減量が一目で視認できるようにしたＣＯ２削減量明示面を区画、表示してなるものとする一方、該ＣＯ２削減量明示面とする表面とは反対がわとなる当該小片シート状本体裏面の一部または全体に粘着剤層を形成した上、該小片シート状本体裏面であって少なくとも同裏面粘着剤層を含む範囲に被覆用剥離紙が隠蔽状に積層、剥離容易に貼着されてなるものとした構成からなるＣＯ２排出削減量表示ラベルとなる。
【００１５】
（関連する発明）
上記したＣＯ２排出削減量表示ラベルに関連し、この発明には、それを用いたエコロジー促進方法も包含される。
即ち、ＣＯ２排出量削減型の加工か処理かの少なくとも何れか一方の過程を経て出荷される対象商品に、この発明の基本をなす前記ＣＯ２排出削減量表示ラベルの１枚が貼着されたものとして出荷し、該対象商品を購入または受領した顧客は、該対象商品の１点毎に貼着されている当該ＣＯ２排出削減量表示ラベルをそのＣＯ２排出削減量の表示合計が一定量に達する複数枚まで集めた後、店舗にて該ＣＯ２排出削減量の一定量に相当する枚数のＣＯ２排出削減量表示ラベルを提出すると、所定のサービスが受けられるよう設定されてなるものとしたエコロジー促進方法である。
【００１６】
このエコロジー促進方法を、より具体的に示すと、クリーニング店舗にて顧客から受託したクリーニング対象品をクリーニング工場にてドライ溶剤をリサイクル利用するＣＯ２排出量削減型のドライクリーニング処理によって洗浄し、包装済みとなったクリーニング対象品の包装適所に、この発明の基本をなす前記ＣＯ２排出削減量表示ラベルの１枚が貼着されたものとして該クリーニング店舗を通じて出荷し、該ドライクリーニング処理済みのクリーニング対象品を受領した顧客は、クリーニング対象品の１点毎に貼着されている当該ＣＯ２排出削減量表示ラベルを所定の台紙に貼着し、該ＣＯ２排出削減量表示ラベルが一定枚数集まった後であって、しかも該クリーニング店舗にてクリーニング対象品を新たに委託するときに、一定枚数のＣＯ２排出削減量表示ラベルが貼着された該台紙を同クリーニング店舗に提出し、所定のサービスが受けられるよう設定されてなるものとしたエコロジー促進方法ということができる。                                                                                  
【発明の効果】
【００１７】
以上のとおり、この発明のＣＯ２排出削減量表示ラベルによれば、従前までのものとは違い、小片シート状本体がその表面適所に、対象商品に係る平均的ＣＯ２削減量を表示するＣＯ２削減量表示部と、そのＣＯ２排出量の削減対象技術名を表示するエコ技術表示部とを配し、ＣＯ２削減量が一目で視認できるようにしたＣＯ２削減量明示面を区画、表示してなるものとする一方、当該小片シート状本体裏面に粘着剤層を形成した上、該裏面粘着剤層に被覆用剥離紙が隠蔽状に積層、剥離容易に貼着されてなるものとし、該被覆用剥離紙を剥がして該小片シート状本体裏面の粘着剤層を露出状とし、簡便、確実に貼着可能なものとなっていて、該対象商品を取り扱う企業は、然程作業負担を要さずに当該ＣＯ２排出削減量表示ラベルを対象商品に対し、迅速且つ効率的に貼着することができ、顧客が店頭にて対象商品に貼着された当該ＣＯ２排出削減量表示ラベルを見るだけで、それ以前までの対象商品の同種の加工や処理の過程で発生していたＣＯ２排出量からの削減量と、そのＣＯ２排出量の削減対象技術名とを即座に知ることができ、従来型の加工や処理などが施された対象商品との明確な差別化を図ることができ、外観上は何ら変わらない当該対象商品であっても、提供する企業が実際には、ＣＯ２排出量の削減に大きく貢献していることを消費者に向けて広告すると共に、当該ＣＯ２排出削減量表示ラベルの貼られた商品を選択することで、顧客自身も簡単にエコロジー活動に参加することができるようになるという秀れた特徴が得られるものである。
【００１８】
加えて、当該ＣＯ２排出削減量表示ラベルを小片シート状本体の表面適所に、所定期間中のクリーニング対象品群に加えたＣＯ２排出量削減型のドライクリーニング処理過程で発生するＣＯ２総排出量の、それ以前までの同等所定期間中のドライクリーニング処理過で発生していたＣＯ２総排出量からのＣＯ２総削減量に基づく、クリーニング対象品１点分に相当する平均的ＣＯ２削減重量を数値表示するＣＯ２削減量表示部と、そのＣＯ２排出量の削減対象技術名を表示するエコ技術表示部とを配し、少なくともＣＯ２削減量が一目で視認できるようにしたＣＯ２削減量明示面を区画、表示してなるものとすると、従前までは、顧客がクリーニング店の店頭で受け取るクリーニング対象品は、その外観からドライクリーニング処理過程で発生するＣＯ２排出量の削減がなされたかという情報、および、どの程度のＣＯ２排出量の削減が達成されているのかという情報を全く知ることができなかったが、当該ＣＯ２排出削減量表示ラベルが貼られたクリーニング対象品であれば、一目でＣＯ２排出削減量を知ることができ、詳しいクリーニング技術を全く知らない顧客であっても、ＣＯ２排出量削減の活動に簡単に参加することができるものとなる。
【００１９】
さらに、当該ＣＯ２排出削減量表示ラベルを小片シート状本体が、その表面適所に、年間のクリーニング対象品群に加えたドライ溶剤をリサイクル利用するＣＯ２排出量削減型のドライクリーニング処理過程で発生するＣＯ２総排出重量の、それ以前までの年間のドライ溶剤をリサイクル利用しないドライクリーニング処理過で発生していたＣＯ２総排出重量からのＣＯ２総削減重量に基づく、年間にドライクリーニング処理するクリーニング対象品群中の１点分に相当する平均的ＣＯ２削減重量を数値表示するＣＯ２削減量表示部と、そのＣＯ２排出量の削減対象技術名を表示するエコ技術表示部とを配し、少なくともＣＯ２削減量が一目で視認できるようにしたＣＯ２削減量明示面を区画、表示してなるものとすると、年間を通じて季節毎や月毎に変化する気温や湿度の影響などを平均化して、より正確なクリーニング対象品群中の１点分に相当する平均的ＣＯ２排出削減量を算出することができると共に、クリーニング工場のＣＯ２排出量の削減技術を年単位で改善して行く動機付けとなり、企業および顧客１人々々の地球環境保護活動を効果的に促進することができるという特徴が得られる。
【００２０】
そして、当該ＣＯ２排出削減量表示ラベルの被覆用剥離紙が、小片シート状本体裏面の粘着剤層に剥離容易に粘着する一方面とは反対がわとなる他方面に粘着剤層を形成し、且つ該被覆用剥離紙の他方面であって少なくとも同他方面の粘着剤層を含む範囲に、積層用剥離紙が隠蔽状に積層、剥離容易に貼着されてなるものとした場合には、対象商品か、またはクリーニング対象品かの何れか一方を取り扱う企業が、その工場や倉庫、店舗などの何れかの場所、あるいは加工、処理、保管、輸送などの何れか、もしくはそれら何れかの前後などの作業段階にて、対象商品か、またはクリーニング対象品かの何れか一方に、当該ＣＯ２排出削減量表示ラベルを貼着するときに該積層用剥離紙を剥がして効率的且つ簡便に貼着することができ、該ＣＯ２排出削減量表示ラベルが貼り付けされた対象商品か、またはクリーニング対象品かの何れか一方を購入、または受領した顧客が、当該被覆用剥離紙から小片シート状本体を簡単に剥がし取れるものとなり、一旦剥がし取った該小片シート状本体を所定の台紙に貼り付けるなどして当該ＣＯ２排出削減量表示ラベルを所謂ポイントシールのように利用する場合などに、小片シート状本体が破けたり、粘着剤層から分離してしまったりするのを確実に防止して、さらに、台紙などに確実に再貼着することができるものとなるという利点が得られる。
【００２１】
以上のとおり、この発明のエコロジー促進方法によれば、従前までは、対象商品を加工または処理する企業が、同種の加工または処理について以前よりもＣＯ２排出量の削減を実現化していた場合にも、顧客が手にする対象商品には何ら外観上の変化が見られず、ＣＯ２排出量の削減効果を顧客自身が実感したり、それが有益であるという事実を理解できず、企業がわにもなかなか利益に結び付かないという大きな欠点があったが、ＣＯ２排出量削減型の加工か処理かの少なくとも何れか一方の過程を経て出荷される対象商品に、この発明の基本をなすＣＯ２排出削減量表示ラベルの１枚が貼着されたものとして出荷し、該対象商品を購入または受領した顧客が、当該ＣＯ２排出削減量表示ラベルを集めた後、店舗にて該ＣＯ２排出削減量の一定量に相当する枚数のＣＯ２排出削減量表示ラベルを提出すると、所定のサービスが受けられるよう設定されてなるものとしたことで、企業が達成したＣＯ２排出削減量を顧客に明確に広告できるようになり、しかもＣＯ２排出量を削減した加工または処理の施された対象商品を購入または受領した顧客は、ＣＯ２排出量の削減に寄与したという実感を得ることができる上、複数の対象商品を購入または受領すると、そのＣＯ２排出削減量に相当するサービスを企業がわから受け取るとこができるという特典が与えられるものとなり、企業は、こうしたサービスを通じてＣＯ２排出量を削減した対象商品の流通量を増加させることができる一方、ＣＯ２排出量の削減を達成していない対象商品の流通量を減少させることができるという、秀れたエコロジー促進効果を得ることができ、しかもＣＯ２排出量の削減努力を怠っている他社の対象商品との明確な差別化を図ることができる。
【００２２】
そして、当該エコロジー促進方法は、クリーニング店舗にて顧客から受託したクリーニング対象品をクリーニング工場にてＣＯ２排出量削減型のドライクリーニング処理によって洗浄し、包装済みとなったクリーニング対象品の包装適所に、この発明の基本をなす前記ＣＯ２排出削減量表示ラベルの１枚が貼着されたものとして該クリーニング店舗を通じて出荷し、該ドライクリーニング処理済みのクリーニング対象品を受領した顧客は、クリーニング対象品の１点毎に貼着されている当該ＣＯ２排出削減量表示ラベルを所定の台紙に貼着し、該ＣＯ２排出削減量表示ラベルが一定枚数集まった後であって、しかも該クリーニング店舗にてクリーニング対象品を新たに委託するときに、一定枚数のＣＯ２排出削減量表示ラベルが貼着された該台紙を同クリーニング店舗に提出し、所定のサービスが受けられるよう設定されてなるものとすれば、クリーニング工場が長期間と多大な労力および多額の資金とを投入して漸く達成したＣＯ２排出削減量を顧客に広報して、他社のクリーニング技術との差別化を図り、より自然環境に優しいクリーニング工場の実現に貢献できるものとなり、しかも一定のＣＯ２排出削減量毎に所定のサービスを提供してＣＯ２排出量の削減活動を促進し、顧客のエコ活動への参加意識を高めるという相乗的効果を得ることができる。                                                                                                      
【発明を実施するための最良の形態】
【００２３】
上記したとおりの構成からなるこの発明の実施に際し、その最良もしくは望ましい形態について説明を加えることにする。
対象商品は、それに加える加工か処理かの少なくとも何れか一方の過程でＣＯ２を発生する物質か、またはサービスかの何れか一方であるということができ、換言すれば各種製品や物品などの動産、または各種不動産、あるいは無形の例えば各種サービスや各種活動などであるということが可能であり、より具体的には、例えば店頭に陳列される商品や、通信販売の商品に添付される発送伝票、または、マッサージや理髪店などがサービスを受けた顧客向けに発行する明細書やパンフレットなどとすることができる外、後述する実施例に示すように、クリーニング業者が顧客から受託し、洗浄した後に顧客へ返却するクリーニング対象品とすることが可能である。
【００２４】
小片シート状本体は、当該ＣＯ２排出削減量表示ラベルの実質的な本体部分を形成するものであり、所定の利用に耐える十分な耐久性を有すると共に、廃棄後の焼却処理またはリサイクル処理に有利な素材および構造のものを選択すべきであり、ある程度の柔軟性を有するものとするのが望ましく、寸法や輪郭形状などに特に制限を受けることはないものの、対象商品またはクリーニング対象品の適所に貼着するのに適した寸法、形状、および商品に貼着、表示するに相応しい図案や色を有するものに設定すべきであり、貼着作業効率を考慮すると、円形や楕円形、長円形、菱形、台形、または、後述する実施例に示すような矩形などとして、貼着や剥がし取りが容易でしかも破れや欠けなどの発生を防止し易い形状のものとするのが望ましく、十分な強度の素材を選択して破れや欠けの虞がない場合には、星形やハート型などの複雑な形状に設定されたものとすることが可能であり、例えば小片シート状の紙、樹脂フィルム、樹脂シート、金属箔、布地、不織布またはそれらの組み合わせなどからなる柔軟性のあるシート素材製またはプレート素材製などとすることができる。
【００２５】
ＣＯ２削減量明示面は、当該小片シート状本体の表面適所にＣＯ２削減量表示部と、コ技術表示部とを区画、表示する機能を果たし、特にＣＯ２削減量表示部は、それを一目で認識できる大きさで鮮明に表示されたものとしなければならず、印刷、プリント、エンボスや彫刻などの刻印、貼り付け、打ち抜き、切り抜き、またはそれらの組み合わせなどからなるものとすることができる。
【００２６】
ＣＯ２削減量表示部は、新たなＣＯ２排出量削減型の産業技術で発生するＣＯ２排出量と、それ以前までの同種の産業技術で発生するＣＯ２排出量との差を、一目で確認できる程度に明確に表示可能とする機能を果たすものであり、該産業技術の対象商品またはクリーニング対象品の１点分に相当する平均的ＣＯ２削減重量を色彩、平面形状、立体形状、表示材質の質感、またはそれらの組み合わせなどによって明瞭に表示したものとすべきであり、数値表示やグラフ表示など具体的な数値か、一目でその数値を理解できる表現からなるものとしなければならず、より具体的には、対象商品に加えたＣＯ２排出量削減型の加工か処理かの少なくとも何れか一方の過程で発生する平均的ＣＯ２排出量の、それ以前までの同種の加工か処理かの何れか対応する加工か処理かの少なくとも何れか一方の過程で発生していたそれまでの平均的ＣＯ２排出量からの削減量を表示したものか、または、所定期間中の対象商品群に加えたＣＯ２排出量削減型の加工か処理かの少なくとも何れか一方の過程で発生するＣＯ２総排出量の、それ以前までの同等の所定期間中の対象商品群に対し、同種の加工か処理かの何れか対応する加工か処理かの少なくとも何れか一方の過程で発生していたそれまでのＣＯ２総排出量からのＣＯ２総削減量に基づく、対象商品１点分に相当する平均的ＣＯ２削減量を表示したものかの何れか一方に設定されたものとしなければならない。
【００２７】
エコ技術表示部は、該エコ技術表示部が表示されている小片シート状本体表面上のＣＯ２削減量表示部に表示したＣＯ２削減量を達成可能としたＣＯ２排出量の削減対象技術名を表示し、該ＣＯ２排出量の削減対象技術名を表示、広告可能とする機能を果たすものであり、当該ＣＯ２削減量表示部と同等以上に明確にか、または、少なくともＣＯ２削減量表示部と共に目に入る程度の状態に明確にかの、少なくとも何れか一方となるよう設定、表示されたものとすべきであり、該ＣＯ２排出量の削減対象技術名を色彩、平面形状、立体形状、表示材質の質感、またはそれらの組み合わせなどによって鮮明に文字表現、表示したものとすべきである。
【００２８】
粘着剤層は、当該ＣＯ２排出削減量表示ラベルの小片シート状本体を対象商品か、クリーニング対象品かの何れか一方に、十分な粘着強度をもって貼着可能なものとするという機能を果たし、ＣＯ２排出削減量表示ラベルの未使用状態にあっては、自らの粘着力によって被覆用剥離紙を仮固定して、該粘着剤層を隠蔽状に保護可能とするものとしなければならず、一度剥がした後に再度貼付可能な再貼付型の粘着剤を用いたものや、両面粘着フィルムからなるもの、または、粘着剤を用いない吸着フィルムなどに置き換えることが可能である。
【００２９】
被覆用剥離紙は、小片シート状本体裏面の粘着剤層を隠蔽して、塵埃の付着などによる粘着力の低下を阻止、可能とするものであって、しかも、当該ＣＯ２排出削減量表示ラベルを使用する場合には、容易に剥がして小片シート状本体裏面の粘着剤層を露出可能とする機能を果たし、粘着剤層を十分な強度で隠蔽可能なものとし、粘着剤層を露出させてＣＯ２排出削減量表示ラベルを貼付する場合には簡単且つ迅速に剥がし取ることができるものとしなければならず、紙や樹脂フィルムなどのシート状素材の、当該小片シート状本体裏面の粘着剤層に接合状となる一方面にシリコーン樹脂やそれと同等以上程度の剥離容易性を確保可能な素材による素材層を形成してなるものとするのが望ましい。
【００３０】
また、被覆用剥離紙は、該小片シート状本体裏面の粘着剤層に接合状となる一方面とは反対がわとなる他方面に、粘着剤層を形成したものとする場合には、該小片シート状本体裏面の粘着剤層の被覆用剥離紙一方面への粘着力と、同被覆用剥離紙他方面の粘着剤層の積層用剥離紙一方面への粘着力とを、同等に設定したものとすることができる外、該小片シート状本体裏面の粘着剤層の被覆用剥離紙一方面への粘着力よりも、同被覆用剥離紙他方面の粘着剤層の積層用剥離紙一方面への粘着力の方が強く設定されたものとし、対象商品またはクリーニング対象品に貼着されたＣＯ２排出削減量表示ラベルの被覆用剥離紙からの小片シート状本体の剥離を確実且つ容易なものとすることが可能である外、該小片シート状本体裏面の粘着剤層の被覆用剥離紙一方面への粘着力よりも、同被覆用剥離紙他方面の粘着剤層の積層用剥離紙一方面への粘着力の方が、弱く設定されたものとし、対象商品またはクリーニング対象品に当該ＣＯ２排出削減量表示ラベルを貼着する場合に、被覆用剥離紙に優先して積層用剥離紙を確実且つ容易に剥がし取ることができるよう設定されたものとすることが可能である。
【００３１】
積層用剥離紙は、当該ＣＯ２排出削減量表示ラベル小片シート状本体裏面に剥離容易に貼着した被覆用剥離紙の、該小片シート状本体裏面の粘着剤層に剥離容易に粘着する一方面とは反対がわとなる他方面に、粘着剤層を形成したものの場合に、該被覆用剥離紙他方面の粘着剤層を、塵埃などから保護する機能を果たすものであり、被覆用剥離紙他方面の粘着剤層を十分な強度で隠蔽可能なものとし、粘着剤層を露出させてＣＯ２排出削減量表示ラベルを貼付する場合には、該被覆用剥離紙他方面の粘着剤層から簡単に剥がし取ることができるものとしなければならず、紙や樹脂フィルムなどのシート状素材の、当該剥離紙他方面の粘着剤層に接合状となる一方面にシリコーン樹脂やそれと同等以上程度の剥離容易性を確保可能な素材による素材層を形成してなるものとするのが望ましい。
【００３２】
この発明のＣＯ２排出削減量表示ラベルをを用いたエコロジー促進方法は、基本的にＣＯ２排出量削減型の加工か処理かの少なくとも何れか一方の過程を経て出荷される対象商品に、この発明の基本をなす前記ＣＯ２排出削減量表示ラベルの１枚が貼着されたものとして出荷し、該対象商品を購入または受領した顧客は、該対象商品の１点毎に貼着されている当該ＣＯ２排出削減量表示ラベルをそのＣＯ２排出削減量の表示合計が一定量に達する複数枚まで集めた後、店舗にて該ＣＯ２排出削減量の一定量に相当する枚数のＣＯ２排出削減量表示ラベルを提出すると、所定のサービスが受けられるよう設定されてなるものとしなければならないが、例えば一定個数の対象商品が纏めて梱包されてなる包装適所、または添付される伝票あるいはパンフレットなどに、該対象商品の一定個数に相当する枚数のＣＯ２排出削減量表示ラベルを貼着した荷姿で出荷するように設定したものとすることが可能であり、また、ＣＯ２排出削減量の一定量に相当する枚数のＣＯ２排出削減量表示ラベルの提出先を店舗以外の、工場や事務所などの該当する企業施設の住所に発送し、当該企業から所定のサービスが受けられるよう設定されてなるものとすることが可能である。
【００３３】
また、当該エコロジー促進方法は、クリーニング工場にて実施する場合に、顧客からクリーニング対象品の受託を受ける場所は、該クリーニング工場関連のクリーニング店舗とすることができ、そして、このクリーニング店舗には、配送車両などの移動型の店舗や倉庫なども含まれており、クリーニング対象品は、衣類や布団、絨毯、カーテン、その他のドライクリーニング可能な物品の全てを対象品とすることができ、ＣＯ２排出量削減型のドライクリーニング処理は、ドライ溶剤をリサイクル利用可能とする技術を伴うものとしなければならないが、それ以外の加工や処理であってＣＯ２排出量を削減可能なドライクリーニング処理に置き換えることが可能である。
以下では、図面に示すこの発明を代表する実施例と共に、その構造について詳述することとする。                                                                                                            
【実施例１】
【００３４】
図１のＣＯ２排出削減量表示ラベルの正面図、図２のＣＯ２排出削減量表示ラベルの断面図、図３の積層用剥離紙追加型のＣＯ２排出削減量表示ラベルの断面図、および図５のクリーニング工場実施のエコロジー促進方法の体系図に示す事例は、小片シート状本体３が、その表面３０適所に、対象商品２に係る平均的ＣＯ２削減量を表示するＣＯ２削減量表示部４０と、そのＣＯ２排出量の削減対象技術名を表示するエコ技術表示部４１とを配し、ＣＯ２削減量が一目で視認できるようにしたＣＯ２削減量明示面４を区画、表示してなるものとする一方、当該小片シート状本体３裏面３１に粘着剤層５を形成した上、該裏面３１粘着剤層５に被覆用剥離紙６が隠蔽状に積層、剥離容易に貼着されてなるものとした、この発明のＣＯ２排出削減量表示ラベルにおける代表的な一実施例を示すものである。
【００３５】
それら各図からも明確に把握できるとおり、この発明のＣＯ２排出削減量表示ラベル１は、その小片シート状本体３が、紙または樹脂シートを矩形状に裁断されたものとし、図１中に示すように、その表面３０中央に地球を模した円形の上がわに添って「みんなで温暖化対策！」のスローガンを文字表示し、同円形の中に「ＣＯ２  ７ｇ削減」の文字を明確に表示したＣＯ２削減量表示部４０を配し、また、その円形の下方に、ＣＯ２排出量の削減対象技術名である「ドライ溶剤リサイクル」の文字を表示するエコ技術表示部４１を配するようＣＯ２削減量明示面４を区画し、印刷表示してなるものとしている。
【００３６】
当該ＣＯ２削減量表示部４０に表示した重量数値は、図５中に示す、当該クリーニング工場Ｆが、年間に処理するクリーニング対象品２，２，……群に加えたドライ溶剤をリサイクル利用するＣＯ２排出量削減型のドライクリーニング処理過程で発生するＣＯ２総排出重量の、それ以前までの年間のドライ溶剤をリサイクル利用しないドライクリーニング処理過で発生していたＣＯ２総排出重量からのＣＯ２総削減重量に基づく、年間にドライクリーニング処理するクリーニング対象品２，２，……群中の１点分に相当する平均的ＣＯ２削減重量であり、下記のようにして算出された値である。                                          
【表１】
2010049218.tif 000003
【００３７】
※表１中の電力の係数については、東北電力の平成１８年度の値である。
【００３８】
従来型のドライクリーニング処理のＣＯ２総排出量の計算。
フィルター導入前のＣＯ２総排出量は、下記（式１）にて算出可能である。
（総灯油使用量）×（ＣＯ２排出係数）＝（ＣＯ２総排出量）……（式１）
年間総灯油使用量：６，７８０Ｌ
表１に基づくＣＯ２排出係数：２．４９ｋｇ
年間ＣＯ２総排出量は、下記（式１−１）の通り算出した。
６，７８０Ｌ×２．４９ｋｇ＝１６，８８２．２ｋｇ……（式１−１）
【００３９】
ＣＯ２排出量削減型のドライクリーニング処理のＣＯ２総排出量の計算。
フィルター導入後のＣＯ２総排出量は、下記（式２）にて算出可能である。
（総電気使用量）×（ＣＯ２排出係数）＝（ＣＯ２総排出量）……（式２）
６，７８０Ｌ（灯油）回収当たり約２７１．２ｋｗｈ使用
（前提条件：４５Ｌ回収当たり６００ｗ×３ｈ使用）
年間総電気使用量：２７１．２ｋｗｈ
表１に基づくＣＯ２排出係数：０．４４１ｋｇ
年間ＣＯ２総排出量は、下記（式２−１）の通り算出した。
２７１．２ｋｗｈ×０．４４１ｋｇ＝１１９．６ｋｇ……（式２−１）
【００４０】
フィルター導入前後の年間ＣＯ２排出量差の計算。
フィルター導入前後のＣＯ年間２排出量差は、下記（式３）にて算出可能である。
（導入前ＣＯ２総排出量）−（導入後ＣＯ２総排出量）＝（ＣＯ２総排出量差）……（式３）
フィルター導入前の年間ＣＯ２総排出量：１６，８８２．２ｋｇ
フィルター導入後の年間ＣＯ２総排出量：１１９．６ｋｇ
フィルダー導入前後のＣＯ２総排出量差は、下記（式３−１）の通り算出した。
１６，８８２．２ｋｇ−１１９．６ｋｇ＝１６，７６２．６ｋｇ（式３−１）
【００４１】
クリーニング対象品１点当たりの平均ＣＯ２削減量の計算。
クリーニング対象品１点当たりの平均ＣＯ２削減量は、下記（式４）にて算出可能である。
（ＣＯ２総排出量差）÷（対象品総点数）＝（平均ＣＯ２削減量）……（式４）
ＣＯ２総排出量差：１６，７６２．６ｋｇ
クリーニング対象品総点数：２，４８９，０００点
クリーニング対象品１点当たりの平均ＣＯ２削減量は、下記（式４−１）の通り算出した。
１６，７６２．６ｋｇ÷２，４８９，０００＝６．７ｇ……（式４−１）
クリーニング対象品１点当たりの平均ＣＯ２削減量は、（式４−１）で得られた６．７ｇを四捨五入して７ｇとし、ＣＯ２削減量明示面４のＣＯ２削減量表示部４０に一目で視認できるよう表示したものとする。
【００４２】
当該ＣＯ２排出削減量表示ラベル１は、図２中に示すように、当該小片シート状本体３の該ＣＯ２削減量明示面４とする表面３０とは反対がわとなる当該小片シート状本体３裏面３１の全体に、貼着後に一度剥がしても再度貼着可能な再貼着性のある粘着剤層５を形成した上、該小片シート状本体３裏面３１の粘着剤層５全体に、小片シート状本体３と同一平面形状、寸法の被覆用剥離紙６が、シリコーン樹脂コーティングされた一方面６０を隠蔽状に積層、剥離容易に貼着されてなるものとしている。
【００４３】
また、当該ＣＯ２排出削減量表示ラベル１は、図３中に示すように、該小片シート状本体３裏面３１の粘着剤層５に、被覆用剥離紙６の一方面６０を剥離容易に粘着したものとすると共に、該被覆用剥離紙６の一方面６０とは反対がわとなる他方面６１の全体に粘着剤層５を形成した上、該被覆用剥離紙６他方面６１の粘着剤層５全体に、積層用剥離紙７のシリコーン樹脂コーティングされた一方面７０が隠蔽状に積層、剥離容易に貼着されてなるものとすることができる。
【００４４】
（実施例１の作用）
以上のとおりの構成からなる実施例１のＣＯ２排出削減量表示ラベル１は、それを利用して、この発明のエコロジー促進方法を実施可能である。
即ち、図５中に示すように、顧客Ｃがクリーニング工場Ｆの直営店であるクリーニング店舗Ｓに、衣類などのクリーニング対象品２のクリーニングを依頼すると、その委託を受けたクリーニング店舗Ｓは、同図５中の波線矢印に示すように、クリーニング対象品２をクリーニング工場Ｆに搬送する。
【００４５】
一般的なクリーニング工場（図示せず）における従来型ドライクリーニング機は、活性炭内蔵のフィルターを４本以上使用して、ドライ溶剤の清浄状態を保ちながら洗浄を繰り返すものとなっており、４００回程度洗浄を繰り返すとフィルターの濾過能力が大きく低下してしまい、全部を新しいフィルターに交換しなければならず、交換に伴って取り外した各フィルターは、１本当たり１４ないし１６Ｌ程度のドライ溶剤が含まれたままとなっていて、該ドライ溶剤を含んだまま産業廃棄物として大量のＣＯ２を大気中に排出しながら焼却処分されてきた。
【００４６】
当該クリーニング工場Ｆでは、同社開発のフィルター溶剤回収機を利用し、フィルター４本当たり４２リットル前後のドライ溶剤を回収し、再度ドライクリーニング機に戻してリサイクル利用するＣＯ２削減活動を行っており、その結果、年間６，７８０Ｌの石油系ドライ溶剤を回収し、前記実施例１中の（式４−１）に示したように、クリーニング対象品２の１点当りの平均ＣＯ２削減量６．７ｇを四捨五入して７ｇとし、図１および図５中に示すように、洗浄を終えて包装済みとなったクリーニング対象品２の包装フィルム表面適所に、実施例１のＣＯ２排出削減量表示ラベル１を貼着する。
【００４７】
該ＣＯ２排出削減量表示ラベル１の貼着作業は、図２中に示すよう被覆用剥離紙６を剥がし、小片シート状本体３裏面３１の粘着剤層５を露出して、クリーニング対象品２の包装フィルム表面適所に貼着するか、または、図３中に示すように、積層用剥離紙７を有するＣＯ２排出削減量表示ラベル１の場合には、積層用剥離紙７のみを剥がして被覆用剥離紙６他方面６１の粘着剤層５を露出し、クリーニング対象品２の包装フィルム表面適所に貼着するかの何れか一方とするよう作業を進めることとなる。
【００４８】
図５中の実線矢印に示すように、クリーニング工場Ｆからクリーニング店舗Ｓに到着したクリーニング対象品２の包装フィルム表面適所には、ＣＯ２排出削減量表示ラベル１の小片シート状本体３が貼着されており、該クリーニング対象品２を受領した顧客Ｃは、図１に示すように、一目で当該クリーニング対象品２のドライクリーニング処理によって今回、７ｇのＣＯ２排出量が削減されたをことを認識することになり、顧客Ｃが当該クリーニング店舗Ｓを選択したことによってＣＯ２削減の活動に協力していることを実感することとなる。
【００４９】
さらに、図５中に示すよう顧客Ｃは、当該クリーニング店舗Ｓを複数回にわたって利用したり、または、当該クリーニング店舗Ｓに複数点のクリーニング対象品２，２，……を纏めてクリーニング委託したりしながら、個々のクリーニング対象品２，２，……から剥がし取ったＣＯ２排出削減量表示ラベル１，１，……の小片シート状本体３，３，……を、図４のＣＯ２排出削減量表示ラベル貼着用台紙の正面図に示すように、当該クリーニング店舗Ｓが提供するポイントカード（台紙）Ｐの各枠内に貼着して行く。
【００５０】
図２中に示すように、顧客Ｃがクリーニング対象品２から剥がし取ったＣＯ２排出削減量表示ラベル１小片シート状本体３裏面３１の粘着剤層５は、再貼着性を有していて、図４および図５中に示すように、ポイントカードＰから不用意に剥がれ落ちたりすることはない。また、図３中に示したＣＯ２排出削減量表示ラベル１の場合には、被覆用剥離紙６他方面６１の粘着剤層５が、クリーニング対象品２の包装フィルム表面適所に貼着されており、顧客Ｃは、被覆用剥離紙６をクリーニング対象品２の包装フィルム表面適所に貼着されたまま残すよう、小片シート状本体３のみを剥がしとり、新たに露出状となった同小片シート状本体３裏面３１の粘着剤層５を利用して、図４および図５中に示すように、ポイントカードＰに貼着することが可能である。
【００５１】
このようにして、図５中に示すよう当該ポイントカードＰが一杯になり、ＣＯ２排出削減量表示ラベル１小片シート状本体３の合計が２５枚でＣＯ２排出削減量の合計が１７５ｇに達した場合には、次回のクリーニング対象品２をクリーニング店舗Ｓに依頼するときに、当該一杯になったポイントカードＰを提出すると、クリーニング委託の会計金額より３割引のサービスを受けることが可能である。
【００５２】
（実施例１の効果）
以上のような構成からなる実施例１のＣＯ２排出削減量表示ラベル１は、前記この発明の効果の項で記載の特徴に加え、図１中に示すように、その小片シート状本体３表面３０の中央に地球を模した円形を表示する共に、その円形の上がわに添って「みんなで温暖化対策！」のスローガンを文字表示したものとしてあり、顧客Ｃが、該ＣＯ２排出削減量表示ラベル１を一目見ただけで、図５中に示すように、該クリーニング店舗Ｓを積極的に利用することが、地球温暖化を防止する運動に繋がるということを即座に理解することができ、また、図１中に示すように、エコ技術表示部４１に表示した「ドライ溶剤リサイクル」の文字が、クリーニング工場Ｆの具体的なＣＯ２削減活動の内容を広告するものとなり、顧客Ｃのクリーニング店舗Ｓならびにクリーニング工場Ｆへの信頼感を増す効果を奏するものとなる。
【００５３】
さらに、同図１中に示すように、当該ＣＯ２排出削減量表示ラベル１には、その小片シート状本体３中央の地球を模した円形の中に設定した、ＣＯ２削減量表示部４０に「ＣＯ２  ７ｇ削減」の文字が明確に表示してあり、図５中に示す顧客Ｃが、クリーニング対象品２の１点につき、７ｇのＣＯ２排出量削減に協力したことを簡単且つ具体的に認識することができる。
【００５４】
そして、実施例１のＣＯ２排出削減量表示ラベル１を用いたエコロジー促進方法によれば、前記この発明の効果の項で記載の特徴に加え、図５中に示すように、クリーニング店舗Ｓを利用する顧客Ｃが、集めたＣＯ２排出削減量表示ラベル１，１，……の小片シート状本体３，３，……を、図２か、または、図３かの何れか一方に示した、小片シート状本体３裏面３１の再貼着性の粘着剤層５を利用して、図４および図５中に示すように、ポイントカード（台紙）Ｐに貼着して紛失することなく保管することができる上、図５中に示すように、合計が２５枚でＣＯ２排出削減量の合計が１７５ｇに達した場合には、次回のクリーニング対象品２のクリーニング店舗Ｓでのクリーニング代金が３割引きになるというサービスを受けることができ、クリーニング工場ＦのＣＯ２排出削減量の削減と、顧客Ｃの利用満足感とを相乗的に高めることができるという秀れた効果を発揮できる。
【００５５】
（結  び）
叙述の如く、この発明のＣＯ２排出削減量表示ラベル、およびそれを用いたエコロジー促進方法は、その新規な構成によって所期の目的を遍く達成可能とするものであり、しかも製造も容易で、従前からのカーボンフットプリントでは不可能であった同一企業の同一対象商品や同一サービスの新旧間のＣＯ２排出削減量を顧客に明確に広告することができる上、ＣＯ２排出量の削減活動に協力した顧客に、その貢献度に応じて企業がわからのサービスができるようになり、顧客と企業間に相乗的効果が生まれ、表示ラベルを用いるというシンプル且つ低廉で経済的にも秀れた技術によって自然環境保護活動を大幅に促進することができ、ＣＯ２排出量の削減努力がなかなか顧客に認識され難いクリーニング業界はもとより、カーボンフットプリントの比較対象となる競合他社商品をもたない商品を取り扱う企業や、こうした企業の顧客においても高く評価され、広範に渡って利用、普及していくものになると予想される。                                                                                            
【図面の簡単な説明】
【００５６】
図面は、この発明のＣＯ２排出削減量表示ラベル、およびそれを用いたエコロジー促進方法の技術的思想を具現化した代表的な幾つかの実施例を示すものである。
【図１】ＣＯ２排出削減量表示ラベルを示す正面図である。
【図２】ＣＯ２排出削減量表示ラベルを示す断面図である。
【図３】積層用剥離紙追加型ＣＯ２排出削減量表示ラベルを示す断面図である。
【図４】ＣＯ２排出削減量表示ラベル貼着用の台紙を示す正面図である。
【図５】クリーニング工場実施のエコロジー促進方法を示す体系図である。
【符号の説明】
【００５７】
１      ＣＯ２排出削減量表示ラベル
２      クリーニング対象品（対象商品）
３      小片シート状本体
３０    同  表面
３１    同  裏面
４      ＣＯ２削減量明示面
４０    同  ＣＯ２削減量表示部
４１    同  エコ技術表示部
５      粘着剤層
６      被覆用剥離紙
６０    同  一方面
６１    同  他方面
７      積層用剥離紙
７０    同  一方面
Ｃ      顧客
Ｐ      ポイントカード（台紙）
Ｓ      クリーニング店舗
Ｆ      クリーニング工場                                                                                              
【図１】
2010049218.tif 000004
【図２】
2010049218.tif 000005
【図３】
2010049218.tif 000006
【図４】
2010049218.tif 000007
【図５】
2010049218.tif 000008